(57)【要約】【課題】内視鏡作業中、吸引バルブをスコープ操作部に設けられたシリンダに装着させるとともに、作業終了後、吸引バルブを簡易にシリンダから取り外す。【解決手段】吸引バルブ１０は、バルブ本体３０の周囲に装着管４０を備え、装着管４０とスコープ側に固定設置されたシリンダ６０とが係合することによって、吸引バルブ１０が軸回転、軸方向移動ができないように装着される。そして、装着管４０の変形部を装着管本体から引き剥がすことによって変形部が変形し、装着管４０とシリンダ６０の係合状態が開放され、吸引バルブ１０が取り外される。【選択図】図３
2013183935.tif 000002
【特許請求の範囲】
【請求項１】
吸引装置と接続される吸引パイプを設けたバルブ本体と、弁部を有し、前記バルブ本体内でバルブ軸方向に移動可能なピストンとを備えた吸引バルブと、
内視鏡操作部に設置され、前記吸引バルブが装着されるとともに、前記吸引バルブのバルブ軸方向に沿った移動を抑える係止部を備えたシリンダとを備え、
前記吸引バルブが、前記バルブ本体周囲に装着され、前記シリンダの係止部と係合する被係止部を有する装着部材を備え、
前記装着部材が、前記装着部材の本体から径方向外側へ変形可能であって、前記被係止部が含まれる変形部を備え、
前記吸引バルブを前記シリンダから取り外すとき、前記装着部材の被係止部と前記シリンダの係止部との係合状態が解除されるまで、前記変形部が外力によって変形可能であることを特徴とする内視鏡。
【請求項２】
前記変形部が、外力によって前記装着部材の本体から引き離されることを特徴とする請求項１に記載の内視鏡。
【請求項３】
前記変形部が、管状である前記装着部材の本体スカート部において周方向に形成されていることを特徴とする請求項１乃至２のいずれかに記載の内視鏡。
【請求項４】
前記変形部に含まれる被係止部が、前記変形部の端部付近に設けられていることを特徴とする請求項１乃至３のいずれかに記載の内視鏡。
【請求項５】
前記変形部が、前記変形部から延びる把持部を有することを特徴とする請求項１乃至４のいずれかに記載の内視鏡。
【請求項６】
前記把持部が、前記変形部の端部と前記被係止部との間に形成されていることを特徴とする請求項５に記載の内視鏡。
【請求項７】
前記装着部材の被係止部が、バルブ軸に関して相対する位置に複数個設けられていることを特徴とする請求項１乃至６のいずれかに記載の内視鏡。
【請求項８】
前記変形部が、前記複数の被係止部を含むように形成されていることを特徴とする請求項７に記載の内視鏡。
【請求項９】
前記装着部材が、外力により塑性変形可能な材料で構成されており、
前記変形部が、前記装着部材本体にスリットを周方向に沿って刻むことによって形成されることを特徴とする請求項１乃至８のいずれかに記載の内視鏡装置。
【請求項１０】
前記シリンダの係止部が、前記吸引バルブのバルブ軸方向とともに周方向に沿った移動を抑えることを特徴とする請求項１乃至９のいずれかに記載の内視鏡。
【請求項１１】
前記シリンダの係止部が、径方向に延在する突出部を有し、
前記装着部材の被係止部が、前記突出部と嵌合する開口部を有することを特徴とする請求項１乃至１０のいずれかに記載の内視鏡。
【請求項１２】
吸引装置と接続される吸引パイプを設けたバルブ本体と、
弁部を有し、前記バルブ本体内でバルブ軸方向に移動可能なピストンと、
前記バルブ本体周囲に装着され、内視鏡操作部に設置されたシリンダの係止部と係合する被係止部を有する装着部材とを備え、
前記装着部材が、前記装着部材の本体から径方向外側へ変形可能であって、前記被係止部が含まれる変形部を備え、
前記吸引バルブが装着されると、前記シリンダの係止部が、前記吸引バルブのバルブ軸方向に沿った移動を抑え、
前記吸引バルブを前記シリンダから取り外すとき、前記装着部材の被係止部と前記シリンダの係止部との係合状態が解除されるまで、前記変形部が外力によって変形可能であることを特徴とする内視鏡用吸引バルブ。
【請求項１３】
内視鏡操作部に固定され、請求項１２に記載された吸引バルブが装着される内視鏡用シリンダ。
【発明の詳細な説明】
【技術分野】
【０００１】
本発明は、器官内壁などの被写体を撮像する内視鏡装置に関し、特に、体内汚物等を吸引するために操作される吸引バルブの装着機構に関する。
【背景技術】
【０００２】
内視鏡装置では、観察、処置などをしながら、体内の汚物や体系などを吸引除去することが可能であり、スコープ（内視鏡）内部に形成された吸引チャンネルが外部の吸引装置と接続される。スコープ操作部には、吸引装置から延びるチューブと吸引チャンネルを繋ぐ吸引バルブが取り付けられている。
【０００３】
吸引バルブでは、吸引ボタンを上部に設け、軸方向に沿ってスライド可能なピストン状の可動棒をバルブ内部に挿入する。可動棒の下方には弁座が設けられており、可動棒の移動に従って吸引チャンネルとの遮断／接続を切り替える。通常は弁が閉じており、吸引バルブ上面を通じて大気が吸引装置へ送りこまれる。そして、汚物、体壁除去のためオペレータが吸引バルブボタンを押下すると、ピストンが移動して弁が開く。これにより、吸引チャンネルが吸引装置と繋がって汚物等が吸引除去される。
【０００４】
吸引バルブは、スコープ操作部表面に設けられた吸引シリンダに対し、着脱自在に取り付け可能である、内視鏡作業が終了すると、吸引バルブは吸引シリンダから取り外される。そして、吸引バルブ、シリンダに対し、洗浄、除菌／滅菌処理が行われる。この吸引バルブの装着機構については、容易な取り外しを目的として多種多様な機構が存在する。
【０００５】
例えば、吸引バルブ下方にカム部を設け、シリンダ上部にカム部と係合する凹部を設ける。バルブを回転させるとカム部が吸引バルブを徐々に押し上げていく。そして、シリンダの溝部に係合されていた吸引バルブの凸部が抜けることによって、吸引バルブが取り外される（特許文献１参照）。
【０００６】
また、吸引バルブに抜け止め用の突起部を形成する構成も知られている。そこでは、シリンダに形成された環状ガイド溝に突起部を係合させることによって、吸引バルブが抜けるのを防止する。一方で、シリンダのガイド溝に溝導入部を形成することにより、吸引バルブを回転させて突起部を溝導入部の位置まで移動させると、突起部が溝との係合から開放され、吸引バルブを取り外すことができる（特許文献２参照）。
【先行技術文献】
【特許文献】
【０００７】
【特許文献１】特許第３１４３１６４号公報
【特許文献２】特開２００９−２０１８４５号公報
【発明の概要】
【発明が解決しようとする課題】
【０００８】
内視鏡作業中、オペレータはスコープ操作部の姿勢を頻繁に変えながら、スコープを体内へ挿入し、また、スコープ先端部を操作している。操作部の姿勢が絶えず変化する状況では、吸引バルブと吸引チューブの接続部分に必要以上の力がかかり、吸引バルブが回転してしまう。また、オペレータが吸引チューブを操作の邪魔にならないように吸引チューブの導出方向を変える場合にも、吸引バルブが回転する恐れがある。
【０００９】
従来の吸引バルブ装着機構では、吸引バルブを回転させながら取り外す構成になっている。そのため、内視鏡作業中に吸引バルブが予想を超えて回転すると、吸引バルブがシリンダ、すなわちスコープ操作部から外れる可能性がある。その場合、内視鏡作業に重大な影響を及ぼす。
【００１０】
また、近年では、医療機器に関してより徹底した感染防止対策が要求されており、内視鏡装置の機器においても、注射針等と同様、再利用しないディスポーザブルタイプの製品化に向けられている。汚物等が流れる吸引バルブについても、ディスポーザブルタイプに適した構成が要求される。
【００１１】
したがって、ディスポーザブルタイプとして適用可能であって、吸引バルブを確実に固定しながら容易に吸引バルブを取り外し可能な吸引バルブの装着機構が求められる。
【課題を解決するための手段】
【００１２】
本発明の内視鏡は、吸引装置と接続される吸引パイプを設けたバルブ本体と、弁部を有し、バルブ本体内でバルブ軸方向に移動可能なピストンとを備えた吸引バルブと、内視鏡操作部に設置され、吸引バルブが装着されるとともに、吸引バルブのバルブ軸方向に沿った移動を抑える係止部を備えたシリンダとを備える。
【００１３】
吸引バルブは、バルブ本体周囲に装着され、シリンダの係止部と係合する被係止部を有する装着部材を備える。また、装着部材は、装着部材の本体から径方向外側へ変形可能であって、被係止部が含まれる変形部を備える。
【００１４】
そして、吸引バルブをシリンダから取り外すとき、装着部材の被係止部とシリンダの係止部との係合状態が解除されるまで、変形部が外力によって変形可能となるように構成されている。したがって、作業中、吸引バルブがシリンダから抜けることがなく、それととともに、オペレータが係止状態解除まで力を加えることにより、吸引バルブがシリンダから取り外される。
【００１５】
吸引バルブの固定については、シリンダの係止部が吸引バルブのバルブ軸方向とともに周方向に沿った移動を抑え、確実に抜けを防止することも可能である。係止機構としては、例えば、シリンダの係止部として径方向延在の突出部を設け、装着部材の被係止部として突出部と嵌合する開口部を設けることが可能である。
【００１６】
変形部の変形態様については、係止解除となる構成を適宜採用することが可能である。例えば、孔と突起部との嵌合などの構成が採用される場合、外力によって変形部が装着部材の本体から引き離される構成を適用することによって、容易に係合状態が解除される。
【００１７】
また、変形部は、例えば管状の装着部材が用いられる場合、装着管本体のスカート部において周方向に形成することが可能である。この場合、オペレータは内視鏡を保持したまま容易に変形部を摘んで引っ張ることが可能である。
【００１８】
被係止部の配置場所は、変形部の材質、可撓性などを考慮して適宜設定することができる。例えば、被係止部を変形部の端部付近に設けることが可能であり、オペレータが力を加えると同時に係合状態の解除を可能にする。
【００１９】
オペレータが変形部を持ち易いように、変形部から延びる把持部を設けることも可能である。把持部の設置場所も様々であり、例えば、変形部の端部と被係止部との間に把持部を形成することができる。この場合、係止状態を開放するように力を加え易くなる。
【００２０】
例えば、装着部材の被係止部が、バルブ軸に関して相対する位置に複数個設けることが可能である。この場合、変形部は、複数の被係止部を含むように形成することができる。
【００２１】
装着部材の材質、組成は適宜設定可能である。製造を容易にすることを考慮すると、例えば、装着部材を、外力により塑性変形可能な材料で構成し、変形部を、装着部材本体にスリットを周方向に沿って刻むことによって形成することができる。
【００２２】
本発明の他の局面における内視鏡用吸引バルブは、内視鏡操作部に固定される内視鏡用シリンダに装着される吸引バルブであって、吸引装置と接続される吸引パイプを設けたバルブ本体と、弁部を有し、バルブ本体内でバルブ軸方向に移動可能なピストンと、バルブ本体周囲に装着され、内視鏡操作部に設置されたシリンダの係止部と係合する被係止部を有する装着部材とを備える。
【００２３】
装着部材が、装着部材の本体から径方向外側へ変形可能であって、被係止部が含まれる変形部を備え、吸引バルブが装着されると、シリンダの係止部が、吸引バルブのバルブ軸方向に沿った移動を抑える。そして、吸引バルブをシリンダから取り外すとき、装着部材の被係止部とシリンダの係止部との係合状態が解除されるまで、変形部が外力によって変形可能であることを特徴とする。
【発明の効果】
【００２４】
このように本発明によれば、内視鏡作業中、吸引バルブをスコープ操作部に設けられたシリンダに装着させるとともに、作業終了後、吸引バルブを簡易にシリンダから取り外すことが可能である。
【図面の簡単な説明】
【００２５】
【図１】本実施形態であるスコープの平面図である。
【図２】吸引バルブの側面から見た模式的平面図である。
【図３】バルブ軸に沿った吸引バルブの断面図である。
【図４】バルブ本体を示した斜視図である。
【図５】ボタンを示した斜視図である。
【図６】ピストンを示した斜視図である。
【図７】装着管を示した斜視図である。
【図８】シリンダを示した斜視図である。
【図９】吸引状態でない場合の吸引バルブのエア流れを示した図である。
【図１０】吸引状態における吸引バルブのエア流れを示した図である。
【図１１】装着管の引き剥がし前後を示した斜視図である。
【発明を実施するための形態】
【００２６】
以下では、図面を参照して本実施形態であるスコープ（内視鏡）について説明する。
【００２７】
図１は、本実施形態であるスコープの平面図である。
【００２８】
スコープ１００は、体内へ挿入される可撓性のある挿入部１００Ｋと操作部１００Ｍとを備え、操作部１００Ｍに取り付けられたユニバーサルコード１２０には、ライトガイド、信号線が延びている。
【００２９】
操作部１００Ｍには、静止画記録用のフリーズボタン１３０、挿入部１００Ｋの先端部を湾曲するため操作される湾曲操作ノブ（図示せず）などが装着されるとともに、吸引バルブ（吸引栓ともいう）１０が装着されている。
【００３０】
吸引バルブ１０は、吸引装置（図示せず）とスコープ１００内部に形成された吸引チャンネル（ここでは図示せず）とを接続、連通させる装置であり、内視鏡作業中、吸引チャンネルを通じて器官内の汚物、体液等を吸引装置へ排出するとき、オペレータによって操作される。吸引バルブ１０には、吸引装置と接続した吸引チューブ１１０が取り付けられている。
【００３１】
吸引バルブ１０は、操作部１００Ｍに設置されたシリンダ６０に着脱自在に装着可能である。また、吸引バルブ１０は、ここではディスポーザブルタイプとして構成されている。よって、一人の被検者に対して１つ用意され、作業が終了すると吸引バルブ１０はシリンダ６０から取り外されて破棄される。
【００３２】
図２は、吸引バルブの模式的平面図である。
【００３３】
吸引バルブ１０は、図１に示した吸引チューブ１１０と接続される吸引パイプ３２を側面から突出させた筒状のバルブ本体３０を備え、バルブ本体３０の上部には、弾性材料で成形された円錐台状のボタン２０が設けられている。また、バルブ本体３０内部には、バルブ軸方向に沿って移動可能なピストン（ここでは図示せず）が配置されている。
【００３４】
さらに、バルブ本体３０の周囲には、環状の装着管４０が取り付けられており、バルブ本体３０は装着管４０に挿通されるとともに、嵌合している。後述するように、装着管４０の一部を引き剥がすことによって、吸引バルブ１０の取り外しが可能となる。
【００３５】
図３は、バルブ軸に沿った吸引バルブ１０の断面図である。以下では、図３に加え、図４〜８に示す各パーツの斜視図を参照しながら、吸引バルブ１０の内部構成について詳述する。バルブ本体３０は、シリンダ６０に装着された状態では、装着管４０、ボタン２０によってその外観（吸引パイプ３２を除く）がほとんど隠れる。図３には、スコープ操作部１００Ｍの表面形状が図示されている。
【００３６】
図４は、バルブ本体３０を示した斜視図である。バルブ本体３０の上部に設けられた開口部３６には、ピストン５０が挿通されている。開口部３６の下方（シリンダ側）にはフランジ部３４が設けられており、シリンダ６０の当接部６２に当たって支持される（図３参照）。バルブ本体３０の底部３８は、ピストン５０との組み合わせによって弁機構を構成する。なお、底部３８には、ＯリングＯ２が設けられている。
【００３７】
図５は、ボタン２０を示した斜視図である。図６は、ピストン５０を示した斜視図である。ボタン２０の上部には、ピストン５０を挿通させるための開口部２４が形成されており、また、開口部２４の周囲には所定深さの凹部２４Ａが形成されている。一方、ボタン２０の側面には、吸引操作を行わない間大気を吸引装置へ送るため、２つの通気孔２２が相対する位置に形成されている。また、ボタン２０内部には、空間Ｓ３が形成されている（図３参照）。
【００３８】
ピストン５０は、ボタン２０の開口部２４に形成された凹部２４Ａと当接する押下部５２を上端部に備え、押下部５２は押下面５２Ａをその頂上に設け、その下方には、ボタン２０の開口部２４を密閉するリング５２Ｂが、ピストン側面から径方向に突出する形で形成されている。また、ピストン５０の中央部には、９０度間隔で断面凹状の溝部５４が軸方向に形成されている。この溝部５４とバルブ本体３０の内周面５０Ｓとの間には、空間Ｓ１が形成される（図３参照）。
【００３９】
さらに、ピストン５０の下部には、弁部５６が形成されている。弁部５６は、バルブ本体３０の底部３８との軸方向に沿った相対的位置関係に応じて、吸引チャンネル９０と吸引パイプ３２、すなわち吸引装置とを接続／遮断する。弁部５６には、ＯリングＯ１が形成されている。
【００４０】
図７は、装着管４０を示した斜視図である。図８は、シリンダ６０を示した斜視図である。図７では、２方向からの装着管４０の斜視図を示している。
【００４１】
装着管４０は、リング（装着管本体）４３によって構成された装着部材であり、吸引バルブ１０の固定、取り外しを担う。リング４３の上部側（ボタン側）には、係合溝４６が周方向全体に渡って形成されており、ボタン２０の底部全周に形成された突起部２５と係合する（図３参照）。
【００４２】
リング４３の中央付近には、スリット４１が周方向に沿って部分的に形成されている。スリット４１は、およそ半周の長さを有し、その一方の端部４４Ｔは、リング４３の底部４３Ｂを横断するように段階的に折れた形状となっている。スリット４１によって区画される変形部４４は、リング４３のスカート部を構成するとともに、相対する位置に２つの横長状係止穴４５Ａ、４５Ｂを設けている。
【００４３】
変形部４４の端部４４Ｔ傍には、径方向外側に向けて突出する把持部４２が設けられており、吸引バルブ１０を取り外すとき、オペレータによって保持される。また、把持部４２は、係合孔４５Ａと変形部４４の端部４４Ｔとの間に設置されている。
【００４４】
リング４３は、プラスチック樹脂によって成形された弾性体であるとともに、その変形部４４はオペレータの引っ張る力によって塑性変形するように比較的脆弱な材料で組成されている。変形部４４は、スリット４１が形成された範囲で径方向外側へ向けてリング４３から引き離すことが可能である。
【００４５】
図８に示すように、吸引バルブ１０の受け部材となるシリンダ６０には、ピストン５０を含めたバルブ本体３０が挿入される開口部６６が上部に形成されている。開口部６６を縁取る上端縁６０Ａには、図７に示した装着管４０の係止孔４５Ａ、４５Ｂと係合する突起部６２Ａ、６２Ｂが形成されている。また、シリンダ６０の側面に沿った胴体部６５には、吸引パイプ３２を受けるＵ字状凹部６４が部分的に形成されている。
【００４６】
シリンダ６０の中央部に位置する胴体部６５は、バルブ本体３０を収容し、テーパー状の先端部６３はその内部に空間Ｓ２を形成する（図３参照）。また、シリンダ６０の底部６１は、吸引チャンネル９０と接続されており、保持部材８０によってシリンダ６０が固定されている。装着部材胴体部６５と先端部６３との間には、ＯリングＯ３が設けられている。
【００４７】
以上説明したパーツによって吸引バルブ１０が組み立てられ、吸引バルブ１０がシリンダ６０に取り付け、固定される。
【００４８】
具体的に説明すると、上述したように装着管４０は弾性体であり、装着管４０をバルブ本体３０の上方から被せ、バルブ本体３０と接着固定されている。したがって、バルブ本体３０は、装着管４０に対し隙間なく密接して嵌合する。その後、ボタン２０を装着管４０に取り付け、ピストン５０をボタン２０の開口部２４に押し込むことによって、吸引バルブ１０が組み立てられる。
【００４９】
その後、吸引バルブ１０をシリンダ６０に挿入し、シリンダ６０の突起部６２Ａ、６２Ｂ（図８参照）が装着管４０の係合孔４５Ａ、４５Ｂ（図７参照）に嵌るまで、吸引バルブ１０が強く押し込まれる。これにより、吸引バルブ１０がシリンダ６０、すなわちスコープ操作部１００Ｍに固定される。
【００５０】
吸引バルブ１０は、周方向、バルブ軸方向に沿って動かないように固定される。作業中に吸引パイプ３２が吸引チューブ１１０から力を受けても軸回りに回転せず、また、バルブ軸方向にも移動しない。このような固定装着の下、内視鏡作業が行なわれる。
【００５１】
図９は、吸引状態でない場合の吸引バルブ１０のエア流れを示した図である。図１０は、吸引状態における吸引バルブ１０のエア流れを示した図である。
【００５２】
図９に示すように、ボタン２０が押下されない状況下では、ピストン５０の弁部５６が、バルブ本体３０の底部５６よりもボタン側に近い場所に位置する。そのため、大気がボタン２０の通気孔２４、そしてピストン５０とバルブ本体３０との間に形成された空間Ｓ１を通って吸引パイプ３２の管路３２Ｐに流れ、吸引装置へ送られる。
【００５３】
一方、ピストン５０とともにボタン２０がオペレータによって押下されると、ボタン２０が径外方向へ膨張し、軸方向へ圧縮しながら変形する（図１０参照）。その結果、ピストン５０の弁部５６は、バルブ本体３０の底部３８よりも下方まで移動する。
【００５４】
ピストン５０の位置変化により、吸引チャンネル９０は、シリンダ６０に形成される空間Ｓ２、ピストン５０とバルブ本体３０との間に形成された空間Ｓ１を通じて、吸引パイプ３２の管路３２Ｐと連通する。一方、ピストン５０の溝部５４は、その上端部がバルブ本体３０よりも下方に位置するため、吸引パイプ３２は大気と繋がらない。吸引装置側が負圧であるため、器官内の汚物、体液等がシリンダ６０、吸引バルブ１０を通じて吸引装置へ排出される。
【００５５】
内視鏡作業が終了すると、装着管４０の変形部４４を引き剥がすことにより、吸引バルブ１０をシリンダ６０からから取り除く。吸引バルブ１０は、ディスポーザブルタイプであるため、そのまま破棄される。
【００５６】
図１１は、装着管４０の引き剥がし前後を示した斜視図である。図１１を用いて、装着管４０の引き剥がしによる吸引バルブ１０取り外しについて説明する。
【００５７】
上述したように、装着管４０の変形部４４（およびそれを含めたリング４３）は、オペレータの力で塑性変形するような幅、厚さ、脆弱さを備えている。オペレータが把持部４２を摘み、係合孔４５Ａのある周方向に沿って引っ張ると、変形部４４の把持部４２付近は、径方向外側にリング４３から引き離されるように変形し、すなわち、装着管４０のスカートが部分的に破断する。その結果、係合孔４５Ａとシリンダ６０の当接部６２との係合状態は解除される。
【００５８】
オペレータがさらに把持部４２を周方向（ラジアル方向）に牽引すると、変形部４１はリング４３から徐々に引き剥がされる。スリット４１は、一方の係合孔４５Ａから他方の係合孔４５Ｂに渡って形成されていることから、最終的には変形部４４の全体がリング４３から塑性変形する。その結果、係合孔４５Ａ、４５Ｂは、シリンダ６０の突起部６２Ａ、６２Ｂと係合しなくなる。
【００５９】
吸引バルブ１０のロック状態は解除されるため、オペレータが把持部４２を保持した状態で軸方向（スラスト方向）に吸引シリンダ６０を牽引すると、装着管４０がバルブ本体３０に接着されていることを、および他に係止する機構がないことにより、吸引バルブ１０がシリンダ６０からそのまま取り外される。
【００６０】
このように本実施形態によれば、吸引バルブ１０は、バルブ本体３０の周囲に装着管４０を備え、装着管４０とスコープ側に固定設置されたシリンダ６０とが係合することによって、吸引バルブ１０が軸回転、軸方向移動ができないように装着される。そして、装着管４０の変形部４４を引き剥がすことによって変形部４４が塑性変形し、装着管４０とシリンダ６０の係合状態が開放され、吸引バルブ１０が取り外される。
【００６１】
吸引バルブ１０を強固に固定する構造であるため、内視鏡作業中に吸引バルブ１０が軸方向に移動せず、また、回転もしない。これにより、吸引バルブ１０が作業中抜けることを確実に防止することができる。特に、装着管４０の押し込みにより突起部を孔に嵌める構成を採用し、係止孔４５Ａ、４５Ｂが相対する軸対称位置に設けられているため、吸引バルブ１０はより強固に固定される。
【００６２】
一方、吸引バルブ１０を取り外すとき、装着管４０の変形部４４が変形しているため、吸引バルブ１０が使用後であることが一目で確認できる。そのため、誤って吸引バルブ１０を再利用する恐れがない。
【００６３】
また、スリット４１を２つの係止孔４５Ａ、４５Ｂの範囲に渡って形成し、装着管４０のスカート部分において、変形部４４を周方向に沿って設けることにより、オペレータが把持部４２を摘みながら変形部４４を容易に径方向外側へ向けて引き離すことが可能であり、スムーズな作業で確実に係合状態を解除することができる。
【００６４】
また、変形部４４を装着管４０とは別に取り付けるのではなく、変形可能な素材で成形された装着管４０の一部にスリット４１を形成することによって変形部４４を規定しているため、製造が容易となる。
【００６５】
特に、把持部４２および１つの係合孔４５Ａが変形部４４の端部付近に設けられているため、最初に牽引する力を加えると同時に係合状態を解除することが可能となり、変形部４４をさらに引き剥がすことが容易である。
【００６６】
本実施形態では、吸引バルブ１０とシリンダ６０との結合を、バルブ本体３０ではなく装着管４０が担う構成を採用している。そのため、バルブ本体３０を従来の構成を流用、あるいは共通化することができる。さらには、装着管４０を新たに取り付けるだけで再利用することも可能である。
【００６７】
係合孔の形状、数、は任意であり、また、突起部、係合孔との嵌合以外によって係合、係止状態を作り出しても良い。また、変形部については、斜め方向に引き剥がすようにスリットを形成することも可能であり、ある程度の力で軸方向へ吸引シリンダを持ち上げることが可能であるならば、一部の係合孔と突起部の係合状態を解除するように、短めにスリットを形成することも可能である。
【００６８】
そして、変形部およびリングの材質、組成についても、係止状態が破壊させるように塑性変形するように適宜選択可能であり、あるいは、係止孔間隔を狭める、係止孔を１つにするなどし、弾性変形だけで係止状態を解除するように構成してもよい。
【００６９】
さらに、装着部材のリングと変形部とを分離するスリットには、所定間隔で切断可能なリブを取り付けることもできる。そして、変形部がリングから引き離されない構成にすることも可能であり、例えば、スカート部分が広がるようなフラップ機構を採用してもよい。
【００７０】
吸引バルブの固定については、作業中に吸引チューブから受ける力を考慮し、ある程度回転させるように構成してもよい。この場合、周方向全体に渡って吸引バルブが軸方向に移動しないような装着機構が用いられる。
【００７１】
ピストン、バルブ本体、弁機構、シリンダの構成は実施形態以外の構成を適用してもよい。また、接着材料等を用いた接着固定以外によってバルブ本体を装着管へ取り付け、嵌合させる構成にしてもよく、さらには、装着管とバルブ本体が一体化した吸引バルブを構成することも可能である。
【符号の説明】
【００７２】
１０  吸引バルブ
２０  ボタン
３０  バルブ本体
３２  吸引パイプ
３８  底部
４０  装着管（装着部材）
４１  スリット
４２  把持部
４３  リング（装着部材本体）
４４  変形部
４５Ａ、４５Ｂ  係合孔（被係止部）
５０  ピストン
５４  溝部
５６  弁部
６０  シリンダ
６２Ａ、６２Ｂ  突起部（係止部）
９０  吸引チャンネル
１００  スコープ（内視鏡）
１００Ｍ  操作部
１１０  吸引チューブ
【図１】
2013183935.tif 000003
【図２】
2013183935.tif 000004
【図３】
2013183935.tif 000005
【図４】
2013183935.tif 000006
【図５】
2013183935.tif 000007
【図６】
2013183935.tif 000008
【図７】
2013183935.tif 000009
【図８】
2013183935.tif 000010
【図９】
2013183935.tif 000011
【図１０】
2013183935.tif 000012
【図１１】
2013183935.tif 000013